(57)【要約】アポイントメント・リマインダを提供する方法は、アポイントメント・リマインダ・メッセージを作成することと、アポイントメント・リマインダ・メッセージを第１の当事者の第１の装置から第２の当事者の第２の装置に送信することと、第１の時点で第２の装置においてアポイントメント・リマインダ・メッセージを受信することと、アポイントメント・リマインダ・メッセージを第２の装置中に格納することと、第１の時点の後の第２の時点で、第２の装置中に格納されたアポイントメント・リマインダ・メッセージをアクティブ化することとを含む。
2010515349.tif 000002
【特許請求の範囲】
【請求項１】
アポイントメント・リマインダを提供する方法であって、
（ａ）アポイントメント・リマインダ・メッセージを作成するステップと、
（ｂ）前記アポイントメント・リマインダ・メッセージを第１の当事者の第１の装置から第２の当事者の第２の装置に送信するステップと、
（ｃ）第１の時点で前記第２の装置において前記アポイントメント・リマインダ・メッセージを受信するステップと、
（ｄ）前記アポイントメント・リマインダ・メッセージを前記第２の装置中に格納するステップと、
（ｅ）前記第１の時点の後の第２の時点で、前記第２の装置中に格納された前記アポイントメント・リマインダ・メッセージをアクティブ化するステップとを含む、方法。
【請求項２】
前記第２の装置が、無線遠隔通信ネットワークによるサービスを受ける移動局である、請求項１に記載の方法。
【請求項３】
ステップ（ｅ）が、前記移動局の警告機能をトリガするステップを含む、請求項２に記載の方法。
【請求項４】
前記アポイントメント・リマインダ・メッセージが、作成されるときに電子メール形式である、請求項１に記載の方法。
【請求項５】
ステップ（ｃ）より前に前記アポイントメント・リマインダ・メッセージをショート・メッセージ・サービス形式に変換するステップをさらに含む、請求項４に記載の方法。
【請求項６】
アポイントメント・リマインダを提供するシステムであって、
アポイントメント・リマインダ・メッセージを作成する作成手段と、
第１の時点で前記アポイントメント・リマインダ・メッセージを前記作成手段から、前記アポイントメント・リマインダ・メッセージを受信する受信手段に送信するための送信手段と、
前記受信手段によって受信された前記アポイントメント・リマインダ・メッセージを格納するための格納手段と、
前記第１の時点の後の第２の時点で、前記格納手段中に格納された前記アポイントメント・リマインダ・メッセージをアクティブ化するためのアクティブ化手段とを備える、システム。
【請求項７】
前記受信手段が、無線遠隔通信ネットワークによるサービスを受ける移動局であり、前記格納手段が前記移動局中に組み込まれる、請求項６に記載のシステム。
【請求項８】
前記アポイントメント・リマインダ・メッセージのアクティブ化が前記移動局の警告機能をトリガする、請求項７に記載のシステム。
【請求項９】
前記作成手段が、コンピュータ上で動作する電子メール・クライアントを含み、前記アポイントメント・リマインダ・メッセージが、作成されるときに電子メール形式である、請求項６に記載のシステム。
【請求項１０】
前記アポイントメント・リマインダ・メッセージが前記受信手段によって受信される前に、前記アポイントメント・リマインダ・メッセージをショート・メッセージ・サービス形式に変換するための変換手段をさらに備える、請求項９に記載のシステム。
【発明の詳細な説明】
【技術分野】
【０００１】
本発明の主題は遠隔通信技術に関する。特に携帯電話および／または無線遠隔通信ネットワークに関連する適用例があり、本明細書では特にそれに言及する。しかしながら、本発明の主題の態様は他の同様の適用例および／またはネットワークにも適用できることを理解されたい。
【背景技術】
【０００２】
多くの事業所は、予定されたアポイントメントを事前に個人に思い出させるために、それらの個人に手作業で電話をかける従業員または他の人員を抱えている。例えば、しばしば医療施設、歯科医院、ヘアサロンなどは、患者および／またはクライアントに、予定されたアポイントメントを思い出させるために予定されたアポイントメントより前に電話をかける。しかしながら、アポイントメント・リマインダ電話を手作業でかけることは時間がかかり、および／または人員を非効率的に使用することになる。さらに、アポイントメントの取り決めまたは設定は、ときどき実際の予定されたアポイントメントより何日も前に行われることがある。電話呼が受信者にとって有用なリマインダとして役立つために、一般に、電話はアポイントメントの時間かまたはその近く、例えばその前日にかけられる。したがって、リマインダ電話をかける事業所または他のエンティティは、アポイントメントがいつかを覚えておき、あるいは追跡しなければならず、しばらく後に、すなわち、アポイントメントよりも少し前の適当な時間に、対応するリマインダ電話をかけるために待たなければならない。そのような手法は、２つの別々のタスクを実行すること、すなわち、１）アポイントメントを取り決めるまたは設定すること、および２）リマインダ電話をかけることを含む。理解できるように、前述の手法には、多数の別々のタスクを実行することに関連する典型的な非効率性が伴う。特に、単一のタスクの実行で同じ機能が達成できる場合、相対的な非効率性は特に望ましくない。
【０００３】
ＳＭＳ（ショート・メッセージ・サービス）メッセージングが当技術分野で一般に知られている。一般的な遠隔通信ネットワーク、例えば、無線ネットワークでは、ＳＭＳにより、テキストメッセージをＳＭＳ対応の移動局（ＭＳ）に送信することが可能である。旧来のＳＭＳを使用して個人にアポイントメント・リマインダをテキストメッセージで送信することができる。しかしながら、リマインダを送信するためのＳＭＳメッセージングの従来の使用は依然として手作業のプロセスである。さらに、ＳＭＳリマインダ・メッセージを受信者のためのリマインダとして効果的に働かせようとする場合、依然としてＳＭＳリマインダ・メッセージをアポイントメントの時間かまたはその近くに送信しなければならないという問題が依然としてある。すなわち、受信者が予定されたアポイントメントのずっと前にＳＭＳメッセージを受信した場合、間に入る時間中に、受信者がさらにアポイントメントを忘れる可能性がより高くなる。したがって、旧来のＳＭＳメッセージングを使用した場合でも、テキストメッセージ・リマインダを送信することは、依然として、一般にアポイントメントを取り決めまたは設定してからしばらく後に実行しなければならない別の手作業のタスクである。
【発明の概要】
【発明が解決しようとする課題】
【０００４】
したがって、上述の問題およびその他を克服する、将来のリマインダをトリガするアクティブ・メッセージを送信および／または受信するための新規の改善された方法および／またはシステムが開示される。
【課題を解決するための手段】
【０００５】
一実施形態によれば、アポイントメント・リマインダを提供する方法は、アポイントメント・リマインダ・メッセージを作成することと、アポイントメント・リマインダ・メッセージを第１の当事者の第１の装置から第２の当事者の第２の装置に送信することと、第１の時点で第２の装置においてアポイントメント・リマインダ・メッセージを受信することと、アポイントメント・リマインダ・メッセージを第２の装置中に格納することと、第１の時点の後の第２の時点で、第２の装置中に格納されたアポイントメント・リマインダ・メッセージをアクティブ化することとを含む。
【０００６】
別の実施形態によれば、アポイントメント・リマインダを提供するシステムは、アポイントメント・リマインダ・メッセージを作成するための作成手段と、第１の時点でアポイントメント・リマインダ・メッセージを作成手段から、アポイントメント・リマインダ・メッセージを受信するための受信手段に送信するための送信手段と、受信手段によって受信されたアポイントメント・リマインダ・メッセージを格納するための格納手段と、第１の時点の後の第２の時点で、格納手段中に格納されたアポイントメント・リマインダ・メッセージをアクティブ化するためのアクティブ化手段とを含む。
【０００７】
また別の実施形態によれば、アポイントメント・リマインダを提供する方法は、アポイントメント情報を含むメッセージを電子メール形式で作成することと、メッセージをアポイントメント・リマインダとして識別するインジケータ、およびいつアポイントメント・リマインダをアクティブ化すべきかを決定するトリガリング・データをメッセージ中に提供することと、第１の装置からメッセージを送信することと、メッセージを電子メール形式からショート・メッセージ・サービス形式に変換することと、第１の時点で第２の装置においてショート・メッセージ・サービス形式のメッセージを受信し、第２の装置は、メッセージがアポイントメント・リマインダであると決定するためにメッセージ中に含まれるインジケータを調査することと、第２の装置中にアポイントメント・リマインダを格納することと、第１の時点の後の第２の時点で、第２の装置中でアポイントメント・リマインダをアクティブ化し、アクティブ化することは、関連するメッセージ中に含まれるトリガリング・データに従って行われることとを含む。
【０００８】
本明細書を読み、理解すれば、本明細書に開示される本発明の主題の多数の利点および利益が当業者には明らかになろう。
【０００９】
発明の主題は、様々な構成要素および構成要素の様々な構成、ならびに様々なステップおよびステップの様々な構成の形態をとることができる。図面は、好ましい実施形態を示すためのものにすぎず、限定するものと解釈すべきではない。さらに、図面は一定の縮尺でないことを理解されたい。
【図面の簡単な説明】
【００１０】
【図１】本発明の主題の態様を実行するのに好適な例示的な遠隔通信ネットワークを示すブロック図である。
【図２】本発明の主題の態様を実施する例示的なプロセスを示す流れ図である。
【発明を実施するための形態】
【００１１】
見やすく、かつ話を簡単にするために、本明細書は、遠隔通信技術分野において通常知られている構造要素および／または機能要素、エンティティおよび／または設備、関連する通信標準、プロトコルおよび／またはサービス、ならびに他の構成要素に言及するものであり、本明細書に提示される好ましい実施形態に従っておよび／またはそれに適応するために、それらが変更または改変された場合を除き、それらの構成または動作に関してさらなる詳細な説明はしない。
【００１２】
前述のように、ときどき、企業体または他のエンティティ（本明細書では概して名目上第１の当事者と称する）は、クライアントまたは他の個人（本明細書では概して名目上第２の当事者と称する）とアポイントメントを取り決めあるいは設定し、これらのアポイントメントが予定されたクライアントまたは他の個人にアポイントメントのリマインダを提供することを望むことがある。しばしば、リマインダの有効性を最大にするために、アポイントメントの時間かまたはその近く、例えば、予定されたアポイントメントよりも少し前の適当な時間内に、リマインダがその受信者（すなわち、第２の当事者）に予定されたアポイントメントについて警告を与えるか、あるいは通知することが望ましい。しかしながら、アポイントメントは、そのアポイントメントが最初に取り決められまたは設定されてから数日間、数週間、数カ月間またはさらに長い間、予定されていることがある。好適には、リマインダは、例えば１日前、数時間前、または他の少し前の適当な時間に、第２の当事者にアポイントメントについて警告または通知すべきである。しかし、効率を最大にするために、第１の当事者は、アポイントメントを取り決める動作とリマインダを生成する動作とを組み合わせて共通のタスクにすることを望む場合がある。したがって、アポイントメントが取り決められたかあるいは設定された時間かまたはその近くに、第１の当事者が（例えば、専用のおよび／または高度な電子メール・クライアントまたは他の同様のアプリケーションもしくはシステムを使用して）アポイントメント・リマインダ・メッセージ（ＡＲＭ）を生成し、および／または第２の当事者の移動局（ＭＳ）もしくは他の好適なＳＭＳ対応のエンドユーザ装置にＡＲＭを送信することによって、本明細書に記載の本発明の主題は展開されている。しかしながら、例示的な一実施形態では、ＭＳがＡＲＭを受信しても、ＭＳは、警告を与え、および／あるいは通常どおりに挙動するようにトリガされない。そうではなく、ＭＳは、ＡＲＭが何のためのものであるかを認識し、リマインダが鳴り出すかあるいはアクティブ化するようにＡＲＭ中で設定されるような将来の時間まで、ＡＲＭを（例えば、休止状態あるいは非アクティブ状態で）格納するにすぎない。その時、ＭＳはトリガされて、鳴動するかまたは警告を与え、および／あるいは、あたかもＡＲＭがＭＳによってちょうど受信されたばかりであるかのように挙動する。このようにして、アポイントメントがもともと取り決められた時間かまたはその近くに、ＡＲＭが生成され、送信されて、将来の時間にＡＲＭが第２の当事者の装置上でアクティブ化されて、予定されたアポイントメントを第２の当事者に思い出させる。
【００１３】
図１を参照すると、無線遠隔通信ネットワーク１０は、第１の当事者から、例えばＳＭＳまたは他の同様の形式でＡＲＭを受信するために第２の当事者によって使用されるモバイル・デバイスまたはＭＳ１２（例えば、携帯電話または他の無線移動体エンドユーザ装置）にサービスを提供する。好適には、ＭＳ１２には、１つまたは複数の通常の要素、例えば、旧来の数字キー、ソフトキー、移動キーなどを有するキーパッド、マイクロホンおよびスピーカ、液晶ディスプレイ（ＬＣＤ）または他のそのようなディスプレイ、メモリおよび／または他のデータ記憶デバイス、ＣＰＵ（中央処理装置）または他のコントローラ、オペレーティング・システムおよび／または他のソフトウェア、クロックおよび／またはカレンダ、ＳＩＭ（加入者識別モジュール）または他のスマートカード、信号器、振動器および／または他の変更する機能および／または機器、ならびに通常ＭＳ上に見られ、および／またはＭＳ中に組み込まれる他の構成要素が場合によっては設けられる。
【００１４】
選択的に、ＭＳ１２は、モバイル・スイッチング・センター（ＭＳＣ）１６によるサービスを受ける基地局（ＢＳ）１４を介して無線遠隔通信ネットワークと接続する。より詳細には、ＭＳＣ１６は、複数の基地局（そのうちの１つがＢＳ１４として示される）と接続され、および／または通常どおりに複数の基地局と動作可能に通信する。当技術分野で理解されているように、各ＢＳはそのそれぞれの地理的領域またはセルにオーバー・ジ・エア無線周波数インターフェースを与える。選択的に、ＭＳ１２が位置するセルにサービスを提供するインターフェースおよび／またはＢＳを介して、例えば、ＢＳ１４によるサービスを受けるセル中にＭＳ１２が位置するこの例に示すように、ＭＳ１２は、遠隔通信サービスが提供され、および／あるいはネットワーク１２にアクセスする。
【００１５】
好適な実施形態では、ＭＳ１２はＳＭＳ対応である。すなわち、ＭＳ１２は、ＳＭＳメッセージを受信、送信、加工、格納、表示および／あるいは処理および／または管理するために装備され、および／あるいは準備される。明瞭さおよび簡潔さのために、ＳＭＳは概して本明細書で言及される。しかしながら、本明細書でＳＭＳに言及するとき、それは、ＳＭＳだけでなくＥＭＳ（拡張メッセージ・サービス）、ＭＭＳ（マルチメディア・メッセージ・サービス）および他の同様のメッセージ・サービスも包含することを目的とすることを理解されたい。図１に示すように、ＭＳ１２にアドレス指定されるか、あるいはＭＳ１２に向けられるＳＭＳメッセージは、ＭＳＣ１６に動作可能に接続され、および／または従来どおりにＭＳＣ１６と通信するＳＭＳセンター（ＳＭＳＣ）１８を介してＭＳ１２にルーティングされる。好適には、ＳＭＳＣ１８はＳＭＳメッセージを収集し、通常の方法でＭＳ１２に配信する。
【００１６】
また、図１に示されるものは、第１の当事者がＡＲＭを生成して第２の当事者に送信するために使用する電子メール・システム２０または他の同様のシステムである。好適には、電子メール・システム２０は、電子メールを作成および送信するための電子メール・クライアントまたは他の同様のアプリケーションをその上で実行することをサポートし、および／または有するワークステーションもしくはコンピュータ２２または他の同様の装置と、例えばインターネットなどのデータ・ネットワーク３０を介して、コンピュータ２２で生成された電子メールをルーティングするために装備され、および／あるいは準備される電子メール・サーバ２４とを含む。当技術分野で理解されるように、コンピュータ２２が動作可能に電子メール・サーバ２４と接続され、および／または任意の様々な従来の方法で電子メール・サーバ２４と通信し、次いで電子メール・サーバ２４が動作可能にデータ・ネットワーク３０と接続され、および／または任意の様々な従来の方法でデータ・ネットワーク３０と通信する。
【００１７】
好適な実施形態では、第１の当事者は、コンピュータ２２上で動作する電子メール・クライアントを採用して、アポイントメントが取り決められたかまたは設定された時間かまたはその近くにＡＲＭを作成し、第２の当事者に送信する。例えば、ＳＭＳゲートウェイ３２への電子メールの識別情報とともに、「Ｔｏ：」行または他の好適なフィールド中にＭＳ１２の電話番号を入力することによって、電子メールは第２の当事者のＭＳ１２にアドレス指定される。例えば、アドレスは「２１６５５５１２３４＠ａｂｃｇａｔｅｗａｙ．ｃｏｍ」の形式をとることができ、ここで２１６５５５１２３４はＭＳ１２の電話番号を表し、ａｂｃｇａｔｅｗａｙ．ｃｏｍはゲートウェイ３２の識別情報を表す。ゲートウェイ３２は、場合によっては、電子メール・プロトコル環境からＳＭＳプロトコル環境にメッセージをブリッジングするための、当技術分野では知られている任意の好適なゲートウェイである。すなわち、ゲートウェイ３２は無線ネットワーク１０とデータ・ネットワーク３０をブリッジングする。好適には、ゲートウェイ３２は、電子メール・メッセージ形式からＳＭＳメッセージ形式にＡＲＭを翻訳あるいは変換して、ＭＳ１２にサービスを提供する適切なＳＭＳＣ１８にＡＲＭを導く役目を果たす。
【００１８】
好適には、電子メールの本文および／または件名あるいは他の適切な位置に、第１の当事者は、例えばアポイントメントの日付および／または時刻、アポイントメントの場所など、関連するアポイントメント情報を入れる、あるいは入力する。電子メールがコンピュータ２２上の電子メール・クライアントで作成されているとき、第１の当事者は、その電子メールが実際は特別に処理されるべきである、すなわち従来のメッセージとは異なるＡＲＭであることも示す。例えば、メッセージをＭＳ１２による特別な処理を受けるべきＡＲＭとして識別するために、ヘッダまたは他の場所のフラグまたは他のインジケータが設定される。場合によっては、コンピュータ２２上で動作する電子メール・クライアントは、作成されている電子メールが実際は専用のＡＲＭであることを示すために、第１の当事者が随意に選択することができるラジオボタンまたはチェックボックスなどを提供するように準備される。さらに、第１の当事者は、ＡＲＭをアクティブ化すべき日付および／または時刻、すなわち、リマインダをトリガすべき将来の日付および／または時刻を指定、選択または設定する。例えば、第１の当事者は特定の日付および／または時刻を選択することができ、あるいは、第１の当事者は、予定されたアポイントメントより前の特定の時間量、例えば、予定されたアポイントメントより前の日数、時間数などを選択することができる。その上、場合によっては、リマインダが複数回トリガされるように、複数の指定を選択または設定することができる。もちろん、第１の当事者によって入れられ、あるいは入力される１つまたは複数の特定の選択または設定がない場合、場合によってはデフォルト値が使用される。
【００１９】
図２を参照すると、本発明の主題の態様を実行するのに好適な例示的な方法またはプロセス１００が示されている。ステップ１０２で、第１の当事者はアポイントメント情報を得るかあるいは確立する。例えば、第１の当事者および第２の当事者は、予定されているアポイントメントについて時刻、日付、場所および／または他の関連する詳細に関して同意することができる。さらに、第１の当事者はＭＳ１２用の電話番号を第２の当事者から得ることができる。場合によってはステップ１０２と並行してまたはその時間の近くで行われるステップ１０４で、第１の当事者は、例えば前述のように専用のＡＲＭを作成し、送信する。より詳細には、専用のＡＲＭは、コンピュータ２２上の電子メール・クライアントで生成された後、送信される。ＡＲＭは、電子メール・サーバ２４によってデータ・ネットワーク３０を介してゲートウェイ３２にルーティングされ、送信され、あるいは転送される。次いで、ゲートウェイ３２はＡＲＭをＳＭＳ形式に変換し、ＳＭＳＣ１８にルーティング、送信あるいは転送する。通常の方法では、次いでＳＭＳＣ１８は、無線ネットワーク１０を介して、例えば、ＭＳ１２にサービスを提供するＭＳＣ１６およびＢＳ１４を介して、ＡＲＭをＭＳ１２に配信あるいは転送する。
【００２０】
ステップ１０６で、ＳＭＳ形式の専用のＡＲＭがＭＳ１２によって受信される。判定ステップ１０８で、ＭＳ１２は、受信されたＳＭＳが専用のＡＲＭであるかどうかを判定する。好適には、ＭＳ１２は、この判定を行うためにヘッダ情報を点検する。例えば、ＭＳ１２はヘッダ情報に注目して、上述のフラグまたは他のインジケータが、メッセージを専用のＡＲＭとして識別するように設定されているかどうかを判定する。フラグまたはインジケータが設定されていなかった場合、プロセス１００はステップ１１０に分岐し、メッセージは通常のＳＭＳメッセージとして扱われる、すなわち、そのメッセージは専用のＡＲＭではなく、したがって通常どおりに従来のＳＭＳメッセージとして処理される。あるいは、フラグまたはインジケータが設定されていた場合、プロセス１００はステップ１１２に進み、そこで専用のＡＲＭがＭＳ１２によって処理される。
【００２１】
好適には、ＭＳ１２には、ＡＲＭを管理するためのアプリケーションまたは他のソフトウェアが装備されるか、あるいは準備される。場合によっては、ＡＲＭとして識別されたメッセージは、ＭＳ１２によって受信されるとき、無音で、すなわちＭＳ１２の警告機能がトリガされることなく受信される。次いで、ＭＳ１２によって受信された各ＡＲＭは休止状態または非アクティブ状態でＭＳ１２中に格納される。例えば、メッセージの内容（すなわち、アポイントメント情報）、送信者のアドレスまたは電話番号、リマインダをいつアクティブ化すべきかを示すトリガリング情報などは、例えばＭＳ１２内のメモリ中に格納される。格納されたＡＲＭは、それらをアクティブ化すべき時間であるかどうかを判定するために、周期的に点検される。例えば、トリガリング情報が現在の時刻および／または日付と一致する、または期限を過ぎている、あるいはそのしきい値のある近傍内にある場合、ＡＲＭはアクティブ化される。ＡＲＭがアクティブ化されると、ＭＳ１２の警告機能がトリガされ、それによって第２の当事者に予定されたアポイントメントを思い出させる。好適には、メッセージをＭＳ１２上に表示することもでき、および／またはＭＳ１２は、他の形で、あたかもＡＲＭがそれによってちょうど受信されたばかりであるかのように作動または挙動することができる。場合によっては、第２の当事者は、例えば、ソフトキーの簡単な選択または好適な操作で、送信者（すなわち、第１の当事者）に確認のＳＭＳメッセージまたは電話を返すことができる。別の実施形態では、ＭＳ１２に、通常利用可能なものなどカレンダ・アプリケーションが準備された場合、ＭＳ１２は、ＡＲＭからの予定されたアポイントメント情報をカレンダに入力し、専用のＡＲＭ中に含まれる情報に従って適切なリマインダを設定することができる。
【００２２】
本明細書に提示される特定の例示的な実施形態に関連して、いくつかの構造的特徴および／または機能的特徴は、定義された要素および／または構成要素中に組み込まれるものとして説明されていることを理解されたい。しかしながら、これらの特徴を、同じまたは同様の利益のために、必要な場合に他の要素および／または構成要素中に同様に組み込むことができることが企図される。例示的な実施形態の異なる態様を適宜に選択的に使用して、所望のアプリケーションに適した他の別の実施形態を達成し、それによって他の別の実施形態は、本明細書中に組み込まれた態様のそれぞれの利点を実現することができることも理解されたい。
【００２３】
本明細書で説明された特定の要素または構成要素は、ハードウェア、ソフトウェア、ファームウェアまたはそれらの組み合わせを介してそれらの機能性を好適に実現させることができることも理解されたい。さらに、一緒に組み込まれるものとして本明細書で説明されたいくつかの要素は、好適な状況下では、スタンドアロンの要素、あるいは分割された要素とすることができることを理解されたい。同様に、１つの特定の要素によって実施されるものとして説明された複数の特定の機能は、個々の機能を実施するために独立して作動する複数の別個の要素によって実施できるか、または、いくつかの個々の機能は分割でき、協力して作動する複数の別個の要素によって実施できる。あるいは、本明細書で互いに別個であるように、他のところで説明され、および／または示されたいくつかの要素または構成要素を、必要な場合に物理的または機能的に組み合わせることができる。
【００２４】
要するに、本明細書では好ましい実施形態に関して説明してきた。明らかに、本明細書を読み、理解すれば、他者が変更および改変を思いつくであろう。すべてのそのような変更および改変が添付の特許請求の範囲またはその均等物の範囲内に入る限り、本発明はそれらを含むものと解釈されるものとする。
【図１】
2010515349.tif 000003
【図２】
2010515349.tif 000004
【国際調査報告】
2010515349.tif 000005
2010515349.tif 000006